(57)【要約】  【課題】硬貨処理装置本体からの脱着作業に使用する箇所と同じ箇所における操作において、任意の必要枚数を残した硬貨の回収を迅速かつ確実に行うことを目的とする。  【解決手段】硬貨処理装置に脱着自在であるよう設けられたラッチ機構の操作部を有して装置正面に配設された操作孔と、該操作孔と共に同一の手で把持するための取手孔と、硬貨収納筒の正面側に設けられて自重によって該硬貨収納筒内へ揺動自在に支承されるレバーと、該レバーが硬貨収納筒内に突出している状態を維持してかつ操作部を前記取手孔に設けたロック機構とを具え、前記硬貨収納筒の背面は、釣銭として残す硬貨の枚数分の高さまでの部位を前記装置本体を構成する筐体で形成し、それ以上の高さの部位を硬貨収納筒の背面を開閉自在に覆う蓋体で形成し、前記レバーの先端は、該レバーが硬貨収納筒内に突出している状態において前記釣銭として残す硬貨の枚数分の高さに位置するようにした。【選択図】  図４
2013101434.tif 000002
【特許請求の範囲】
【請求項１】
装置正面に操作部を有するラッチ機構を介して硬貨処理装置に脱着自在に装着可能である脱着式硬貨収納装置において、
硬貨を収納するために直線的かつ並列に設けられた複数の円筒部を有する硬貨収納筒と、
該硬貨収納筒の背面を開閉自在に覆う蓋体と、
前記ラッチ機構の操作部を有して前記硬貨収納装置正面に配設された操作孔と、
前記硬貨収納装置の脱着の際に前記操作孔と共に同一の手で把持するための取手孔と、
前記硬貨収納筒の正面側に設けられて自重によって該硬貨収納筒内へ揺動自在に支承されるレバーと、
該レバーが前記硬貨収納筒内に突出している状態を維持するロック機構と
を具え、
前記硬貨収納筒の背面は、釣銭として残す硬貨の枚数分の高さまでの部位が前記硬貨収納装置本体を構成する筐体で形成されかつそれ以上の高さの部位は前記蓋体で形成され、
前記レバーの先端は、前記硬貨収納装置が直立している時は前記硬貨収納筒外に退避してかつ前記硬貨収納装置が背面に傾いている時は前記硬貨収納筒内に突出して、さらに、前記レバーが硬貨収納筒内に突出している状態において前記釣銭として残す硬貨の枚数分の高さに位置し、
前記ロック機構の操作部は前記取手孔に設けられることを特徴とする脱着式硬貨収納装置。
【発明の詳細な説明】
【技術分野】
【０００１】
本発明は、自動販売機、両替機、サービス機器等の機器内部に搭載される硬貨処理装置に脱着可能である硬貨収納装置に関し、特に硬貨収納装置から必要な枚数を残して他の硬貨を回収する技術に関する。
【背景技術】
【０００２】
一般に、自動販売機、両替機、サービス機器等の機器内部には、投入硬貨の真偽を判別して正貨を金種別に選別収納するとともに、この選別収納された硬貨を釣銭として払い出す硬貨処理装置が搭載されている。
【０００３】
この硬貨処理装置は、装置本体を構成する筐体と、投入硬貨の正偽を判別して正貨を金種別に選別する硬貨選別部を構成する硬貨選別装置と、硬貨選別部から落下する硬貨を積載収納するための硬貨収納部を構成する脱着式硬貨収納装置（以下、硬貨収納装置と称す。）と、硬貨処理装置の下方部を塞ぐボトムベースとから構成され、これら硬貨選別装置と硬貨収納装置とボトムベースとは、それぞれ筐体に対して脱着自在に装着されるものである。
【０００４】
上記硬貨収納装置は、主に、硬貨選別装置から落下する硬貨を積載収納するための直線的かつ並列に設けられた複数の硬貨収納筒と、硬貨収納装置の下方部を塞ぐように硬貨収納筒の下方域にねじ等で固着されたコインベースと、硬貨収納筒の下端とコインベースとの間にスライド自在に支承され、複数の硬貨収納筒全ての最下層にある硬貨を一枚ずつ引き出すペイアウトスライドとから構成され、硬貨収納装置の上部を筐体に係止または解除するラッチ機構と、取り外しおよび装着の際に指を嵌挿して引っかけるために硬貨収納装置正面に形成された取手部とをさらに具えている（特許文献１：特開２００２−６３６４０号公報等参照）。
【０００５】
このような硬貨収納装置を有する硬貨処理装置は、ラッチ機構を操作して筐体と硬貨収納装置との結合を解除することによって、硬貨処理装置を機器に配設した状態まま硬貨収納装置を取り外すことができる。
そして、筐体から離脱させた硬貨収納装置は、硬貨収納筒の背面を構成して開閉自在に覆う蓋体を拡開することによって、収納硬貨を迅速かつ容易に回収することができる。
【０００６】
ところで、上記硬貨処理装置を搭載した自動販売機等の機器においては、定期的に商品等の補充や、収納貨幣および硬貨の回収、釣銭の補充をする必要がある。
特に、収納硬貨の回収と補充においては、筐体から離脱させた硬貨収納装置の硬貨収納筒内の収納硬貨を全て回収した後、硬貨処理装置を搭載した自動販売機等機器の設置場所に適合した釣銭枚数を数えて、再度、硬貨収納筒へ補充する必要がある。
そして、これらの作業は、収納硬貨回収と釣銭の補充を迅速かつ確実に行うことが必要とされている。
【０００７】
硬貨収納筒内の残留硬貨の回収および釣銭用硬貨の補充を容易にするため、本出願人は、硬貨回収補助具を硬貨収納筒内に嵌着して硬貨収納筒の蓋を閉じた状態で硬貨収納装置を倒し、前記硬貨回収補助具よりも上方に積み上げられた硬貨のみを硬貨収納筒上部の開口部から排出することによって、任意の必要枚数を残して硬貨を回収可能である技術を開発している（特許文献２：特開２０１０−１４６１７８号公報）。
しかしながら、上記特許文献２の技術においては、硬貨回収及び補充の作業を効率的に行うことはできるが、硬貨回収補助具という別部品を用意する必要があり煩雑である。
また、硬貨収容カセットの裏側の蓋を上下に分割して開放可能にし、下側の蓋の高さを釣銭として残す枚数の高さにする技術が開示されている(特許文献３：特開２０１０−１４６３１４号)。しかし、該特許文献３は、勢いよく硬貨収納装置を倒すと、釣銭として残したい硬貨まで落下してしまう虞がある。
【０００８】
また、硬貨収納筒に設けた押圧部材を操作して硬貨側面を加圧して保持ことによって、硬貨収納装置を逆さまにした際に、釣銭として残したい硬貨の落下を防止する技術が開示されている（特許文献４：特開平０６−３３３１１８号公報）
しかしながら、上記特許文献４の技術においては、硬貨収納部の脱着操作時に使用する箇所とは別の箇所での操作が必要なため、離脱させた硬貨収納装置を持ち替える作業が追加され、この際に誤って硬貨収納装置を落下させてしまう等の作業に支障が発生する虞がある。
【先行技術文献】
【特許文献】
【０００９】
【特許文献１】特開２００２−６３６４０号公報
【特許文献２】特開２０１０−１４６１７８号公報
【特許文献３】特開２０１０−１４６３１４号公報
【特許文献４】特開平０６−３３３１１８号公報
【発明の概要】
【発明が解決しようとする課題】
【００１０】
そこで、本発明は、上述した事情に鑑み、任意の必要枚数を残した収納硬貨の回収を、特別な別品を使用せずに、かつ、硬貨処理装置本体からの脱着作業に使用する箇所と同じ箇所における操作において、残留硬貨の落下を防止して、硬貨の回収および補充作業を同時に迅速かつ確実に行うことが可能な硬貨収納装置を提供することを目的とする。
【課題を解決するための手段】
【００１１】
上述した課題を解決するために、本発明の硬貨収納装置では、硬貨処理装置に脱着自在であるよう設けられたラッチ機構の操作部を有して装置正面に配設された操作孔と、該操作孔と共に同一の手で把持するための取手孔と、硬貨収納筒の正面側に設けられて自重によって該硬貨収納筒内へ揺動自在に支承されるレバーと、該レバーが硬貨収納筒内に突出している状態を維持してかつ操作部を前記取手孔に設けたロック機構とを具え、前記硬貨収納筒の背面は、釣銭として残す硬貨の枚数分の高さまでの部位を前記装置本体を構成する筐体で形成し、それ以上の高さの部位を硬貨収納筒の背面を開閉自在に覆う蓋体で形成し、前記レバーの先端は、前記装置が直立している時は前記硬貨収納筒外に退避してかつ前記装置が背面に傾いている時は前記硬貨収納筒内に突出して、さらに、前記レバーが硬貨収納筒内に突出している状態において前記釣銭として残す硬貨の枚数分の高さに位置するようにしている。
【発明の効果】
【００１２】
このように、任意の必要枚数を残す硬貨回収の際、硬貨回収の一連の動作に合わせて動くレバーを配置することによって、特別な別品を使用することなくかつ余分な操作を行う必要もなく、残留硬貨の滑り出しおよび落下を防止して釣銭のセットをより確実なものにでき、さらに、このレバーの位置固定をする操作部を脱着作業時に把持する箇所と同じ個所に配設することによって、一貫して硬貨収納装置を持ち替える必要がなく、硬貨の回収と補充作業を同時に迅速かつ確実に行うことができる。
【図面の簡単な説明】
【００１３】
【図１】本発明に係る硬貨収納装置の主に背面側の構成を示す斜視図。
【図２】本発明に係る硬貨収納装置の主に正面側の構成を示す斜視図。
【図３】図１において蓋体を拡開した状態を示す斜視図。
【図４】図３において硬貨収納装置を後方に傾けた様子を示す斜視図。
【図５】硬貨収納筒を取り外した状態において本発明に係るロック機構の主に背面側の構成を示す斜視図。
【図６】本発明に係る硬貨収納装置の正面図。
【図７】図６におけるＡ−Ａ切断部端面図。
【図８】図６におけるＢ−Ｂ切断部端面図。
【図９】図６において硬貨収納装置を後方に傾けた様子を示すＢ−Ｂ切断部端面図。
【発明を実施するための形態】
【００１４】
以下、本発明に係る硬貨収納装置の一実施例を示して詳述する。
【００１５】
図１に示す硬貨収納装置１は、従来と同様に、主に、硬貨収納装置１本体を構成する筐体２と、図示せぬ硬貨選別部から落下する硬貨を積載収納するための直線的かつ並列に設けられた複数の円筒部３１〜３５を有する硬貨収納筒３と、硬貨収納筒３の背面を開閉自在に覆う蓋体４と、硬貨収納装置１の下方部を塞ぐように硬貨収納筒３の下方域にねじ等で固着されたコインベース５とから構成される。
【００１６】
また、図２に示すように、この硬貨収納装置１の正面には、硬貨収納装置１の上部を図示せぬ硬貨処理装置本体に係止または解除するラッチ機構を操作するラッチ操作部６１を有する操作孔６と、取り外しおよび装着の際に指を嵌挿して引っかけるために硬貨収納装置１正面に形成された取手孔７とを具えている。
【００１７】
この硬貨収納装置１は、図示せぬ自動販売機等の機器内部に配設された硬貨処理装置に脱着自在に装着されるものであり、操作孔６を介してラッチ操作部６１に親指をかけ、取手孔７にその他の指を嵌挿した状態で、ラッチ操作部６１を下方に押し下げることによって、硬貨処理装置との係合を解除して、硬貨収納装置１を硬貨処理装置から取り外すことができるものである。
【００１８】
蓋体４は、図３に示すように、筐体２の下部に形成された軸２１と蓋体４に設けた軸４１との係合により、筐体２に回転自在に支承されており、蓋体４を閉塞している状態においては、硬貨収納筒３の硬貨を収納する各円筒部３１〜３５が、筐体２の内周壁面２２と蓋体４の内周壁面４２とによって形成される。
【００１９】
また、各円筒部３１〜３５の背面側（蓋体側）はそれぞれ、釣銭として残したい枚数の高さ（釣銭セット位置３１ａ〜３５ａ）までの部位は筐体２で形成され、それ以上の部位は蓋体４で形成されている。すなわち、蓋体４を拡開している状態においては、硬貨収納筒３内の収納硬貨の内、釣銭として残さない硬貨の外周面略半分が硬貨収納装置１から露出するよう構成される。
なお、図３および後述する図４、図７〜図９においては、円筒部３３に１０円玉硬貨を、円筒部３４に１００円玉硬貨を、それぞれ釣銭セット位置３３ａ、３４ａまで収納している様子を示すものである。
【００２０】
このような構成によると、硬貨収納筒３の上端からのみならず、背面側から収納硬貨を回収することが可能であるので、収納硬貨の回収を容易かつ迅速にできる。
【００２１】
さらに、硬貨収納筒３の正面側（筐体２側）には、本発明の第１の特徴であって、自重によって硬貨収納筒３内へ揺動自在に支承されるレバー８が設けられている。
このレバー８は、図３に示す硬貨収納装置１が垂直に立っている状態においては硬貨収納筒３外に退避し、図４に示す硬貨収納装置１を後方（蓋体４側）に傾けた状態においては硬貨収納筒３内に突出するものである。
【００２２】
レバー８が硬貨収納筒３内に突出している状態においては、レバー８の先端８１が釣銭セット位置３３ａ〜３４ａより若干上方に位置して、釣銭として残したい硬貨が後方へ滑り落ちるのを防止するようにしている。
なお、図３および図４においては、レバー８を円筒部３３および円筒部３４のみに設けているが、全ての円筒部３１〜３５にこのレバー８をそれぞれ設けることは可能である。
【００２３】
また、硬貨収納筒３の正面側と筐体２正面との間には、図５〜図９に示すように、本発明の第２の特徴であって、上下方向にスライド自在でかつ常時は下方に付勢されるロック機構９が設けられている。
このロック機構９は、硬貨収納装置１正面に形成された取手孔７にロック操作部９１を有しており、上述したように、硬貨収納装置１を図示せぬ硬貨処理装置から取り外す際に取手孔７に親指以外の指を嵌挿した状態のまま、硬貨収納装置１を持ち替えることなくロック操作部９１を操作できるようにしている。
【００２４】
また、ロック機構９の先端９２は、レバー８の正面側に凸設された凸部８２に当接するように設けられており、図８に示すように、硬貨収納装置１が垂直に立っている状態においては、レバー８の凸部８２が硬貨収納筒３正面側に突出し、ロック機構９を上方にスライドできないようにしている。
【００２５】
他方、図９に示すように、硬貨収納装置１を後方に傾けた状態においては、レバー８が硬貨収納筒３内に突出し、レバー８の凸部８２が硬貨収納筒３正面側から退避する。この際、ロック操作部９１を上方に押し上げてロック機構９を上方にスライドさせると、レバー８の凸部８２正面側がロック機構９の背面側に当接し、レバー８が硬貨収納筒３の外側に戻ることを阻止することができる。
【００２６】
次に、硬貨収納装置１が配設される図示せぬ硬貨処理装置が、自動販売機等の機器に搭載されている状態において、硬貨収納装置１内に収納された硬貨を回収する方法を詳細に説明する。
【００２７】
まず、硬貨収納装置１正面に形成された操作孔６を介してラッチ操作部６１に親指をかけ、同時に取手孔７にその他の指を嵌挿する。この際、取手孔７に嵌挿した指のいくつかは、ロック操作部９１にかけるようにする。親指でラッチ操作部６１を下方に押し下げると、硬貨処理装置と硬貨収納装置１との係合を解除できるので、操作孔６と取手孔７とを把持したまま、硬貨収納装置１を硬貨処理装置から取り外す。
【００２８】
次に、硬貨収納装置１の操作孔６と取手孔７とを把持している手とは反対の手で、蓋体４を拡開する。この際、硬貨収納装置１を正面側に若干傾けておくと、硬貨収納筒３内の硬貨を予期せずに落下させることを防止できる。
【００２９】
蓋体４を拡開したまま硬貨収納装置１を背面側に傾けると、釣銭セット位置３１ａ〜３５ａより上方に収納されている硬貨が落下するので、予め用意してあった図示せぬ回収袋等の内部に硬貨を落下させて硬貨を回収する。この際、レバー８が自重によって硬貨収納筒３内に揺動し、レバー８の先端８１が釣銭セット位置３３ａ〜３４ａ上にある硬貨の上面に当接して、これらの硬貨が後方へ滑り落ちるのを防止する。
【００３０】
レバー８が硬貨収納筒３内に突出した状態で、取手孔に嵌挿している指でロック操作部９１を上方に押し上げると、レバー８が硬貨収納筒３内に突出したままロックされる。
さらに硬貨収納装置１を背面側に傾けて、硬貨収納筒３内に収納された硬貨の内、釣銭として残さない硬貨を全て上記回収袋等に落下させて回収する。
【００３１】
その後、硬貨収納装置１を直立状態に戻し、ロック機構９を解除して蓋体４を閉塞させた後、硬貨処理装置に装着して、硬貨回収作業は終了する。
【００３２】
このように、本発明の硬貨収納装置においては、任意の必要枚数を残す硬貨回収の際、特別な別品を使用することもなく、硬貨回収の一連の動作に合わせて動くレバーを配置したことによって余分な操作を行う必要もなく、残留硬貨の滑り出しおよび落下を防止して釣銭のセットをより確実なものとすることができる。
【００３３】
また、ロック機構を設けて、レバーの位置を固定することを可能にしたので、たとえ硬貨収納装置を乱暴に逆さまにしても、残留硬貨を保持し続けることが可能である。
このロック機構の操作部は、脱着作業時に把持する箇所と同じ個所に配設されており、一貫して硬貨収納装置を持ち替える必要がなく、硬貨の回収と補充作業を同時に迅速かつ確実に行うことが可能である。
【００３４】
さらに、このレバーは自重で動くレバーであるので、硬貨収納筒内壁にあわせて配置するだけでよく、スペース的に有効である。
なお、上記実施例においては、レバー８が硬貨収納筒３内に突出している状態においてのみ、ロック操作部９１を上方に押し上げることが可能な構成にしているが、ロック操作部を上方に押し上げることによってレバーが硬貨収納筒内に突出し、釣銭セット位置より上方の収納硬貨が飛び出すような構成にしても構わない。
【符号の説明】
【００３５】
１    硬貨収納装置
２    筐体
３    硬貨収納筒
４    蓋体
５    コインベース
６    操作孔
６１  ラッチ操作部
７    取手孔
８    レバー
８１  レバーの先端
８２  レバーの凸部
９    ロック機構
９１  ロック操作部
９２  ロック機構の上端 
【図１】
2013101434.tif 000003
【図２】
2013101434.tif 000004
【図３】
2013101434.tif 000005
【図４】
2013101434.tif 000006
【図５】
2013101434.tif 000007
【図６】
2013101434.tif 000008
【図７】
2013101434.tif 000009
【図８】
2013101434.tif 000010
【図９】
2013101434.tif 000011